(57)【特許請求の範囲】
【請求項１】
被写体の拡大画像を生成する拡大撮影用の光学系により得られた拡大画像を撮像素子により撮像するマイクロスコープにおいて、
人間が前記被写体を目視観察した場合の見た目に近い標準画像を生成する標準撮影用の光学系が前記拡大撮影用の光学系とは別個独立した光学系として付設され、前記拡大撮影用の光学系全体及び標準撮影用の光学系全体を前記撮像素子に対して移動機構により相対移動させて前記拡大撮影用の光学系の結像位置及び標準撮影用の光学系の結像位置のいずれかが前記撮像素子に一致するように切り換えることを特徴とするマイクロスコープ。
【請求項２】
前記拡大撮影用の光学系及び標準撮影用の光学系がそれらの光軸が略交差するように配置され、前記移動機構が、前記各光学系の光軸の交差する位置又はその近傍位置を回転中心として相対的に回転移動させる回転機構により構成されていることを特徴とする請求項１記載のマイクロスコープ。
【請求項３】
前記拡大撮影用の光学系及び標準撮影用の光学系がそれらの光軸が並ぶように配置され、前記移動機構が、前記各光学系の光軸間を相対的にスライド移動させるスライド機構により構成されていることを特徴とする請求項１記載のマイクロスコープ。
【請求項４】
前記移動機構、回転機構又はスライド機構により相対移動させられる前記撮像素子と前記拡大撮影用の光学系及び標準撮影用の光学系との相対位置を検知する位置検知手段が設けられていることを特徴とする請求項１〜３のいずれかに記載のマイクロスコープ。
【請求項５】
前記位置検知手段により検知された撮像素子と前記拡大撮影用の光学系及び標準撮影用の光学系との相対位置に応じて、前記撮像素子により得られたデータに適切な色温度補正を行う色温度補正手段が設けられていることを特徴とする請求項４記載のマイクロスコープ。
【請求項６】
前記拡大撮影用の光学系及び標準撮影用の光学系のうち少なくとも１つには照明用の光源が付設され、前記位置検知手段により検知された撮像素子の相対位置が前記光源が付設された光学系の結像位置にある場合に、前記色温度補正手段が前記光源の色温度に対応した色温度補正を行うことを特徴とする請求項５記載のマイクロスコープ。
【請求項７】
前記移動機構、回転機構又はスライド機構により相対移動させられた際に、移動、回転、スライドが完了したことを操作者にクリック感として伝達するクリック機構が設けられていることを特徴とする請求項１〜３のいずれかに記載のマイクロスコープ。
【発明の詳細な説明】
【０００１】
【発明が属する技術分野】
本発明は、被写体の拡大画像を得る拡大撮影用の光学系と被写体を目視観察した場合の見た目に近い表中画像を得る標準撮影用の光学系とを選択的に切り換えて撮像を行うことができるマイクロスコープに関する。
【０００２】
【従来の技術】
従来の撮像装置としては、微細な部分の拡大撮影を行うビデオマイクロスコープなどがある。このビデオマイクロスコープは、その内部に設けられた撮像素子（例えば、ＣＣＤやＣＭＯＳなど）により撮像し、ビデオ表示装置により表示できるようにしたものである。ビデオマイクロスコープは、例えば、学校や家庭等での動植物の拡大観察や、理美容店での顔面、頭皮、皮膚、毛根の拡大観察や、産業分野での微細な物品や製品の拡大観察ないし品質管理目的の観察などに使用される。
【０００３】
ところで、ビデオマイクロスコープにおいて微細な部分の拡大の他に、微細な部分を含む全体的な画像を、人間が被写体を目視観察した場合における見た目に近い状態の画像（以下、標準画像という。）として撮影（以下、標準撮影という。）したい場合がある。
【０００４】
かかる場合には、標準撮影を行う専用のビデオカメラ等を、ビデオマイクロスコープとは別に用意し、これらを使い分ける方法がある。
【０００５】
他の方法としては、ビデオマイクロスコープの光学系（レンズ組立体）を交換できるように構成し、拡大撮影用の光学系（レンズ組立体）と、標準撮影用の光学系（レンズ組立体）とを交換して使用する方法もある。
【０００６】
【発明が解決しようとする課題】
しかしながら、ビデオマイクロスコープとは別のビデオカメラ等を用意して使い分けする方法は、用意する機器の数が多くなり、携帯が手間であるとともに撮影操作が煩雑になる。
【０００７】
光学系の交換を行うものは、別々の機器を使用する場合に比べて便利であるが、光学系の交換の手間が多くなり操作が煩雑になる。着脱時に埃などがビデオマイクロスコープ内に侵入するおそれがある。交換用の光学系を携帯することは煩わしいことも多い。拡大撮影用の光学系には照明用の光源が付設されることが多いので、着脱機構が複雑になることが多い。
【０００８】
本発明は、上記事情に鑑みてなされたもので、簡便な操作により拡大撮影用の光学系と標準撮影用の光学系とを切り換えて撮影することができ、しかも内部への塵埃等の侵入がほとんどないマイクロスコープを提供することを目的とする。
【０００９】
【課題を解決するための手段】
本発明の請求項１記載のマイクロスコープは、被写体の拡大画像を生成する拡大撮影用の光学系により得られた拡大画像を撮像素子により撮像するマイクロスコープにおいて、人間が前記被写体を目視観察した場合の見た目に近い標準画像を生成する標準撮影用の光学系が前記拡大撮影用の光学系とは別個独立した光学系として付設され、前記拡大撮影用の光学系全体及び標準撮影用の光学系全体を前記撮像素子に対して移動機構により相対移動させて前記拡大撮影用の光学系の結像位置及び標準撮影用の光学系の結像位置のいずれかが前記撮像素子に一致するように切り換えることを特徴とする。
【００１０】
これにより、撮像素子や光学系を交換することなく、一つのマイクロスコープにより拡大撮影用の光学系又は標準撮影用の光学系を切り換えて拡大画像又は標準画像を撮像素子により撮像することができる。操作性が高く、塵埃の侵入も少なくてすむ。
【００１１】
本発明の請求項２記載のマイクロスコープは、前記拡大撮影用及び標準撮影用の光学系がそれらの光軸が略交差するように配置され、前記移動機構が、前記各光学系の光軸の交差する位置又はその近傍位置を回転中心として相対的に回転移動させる回転機構により構成されていることを特徴とする。
【００１２】
回転機構により撮像装置ないし前記拡大撮影用の光学系及び標準撮影用の光学系が相対的に回転移動させられて、各光学系からの拡大画像又は標準画像が選択的に撮像される。
【００１３】
本発明の請求項３記載のマイクロスコープは、前記拡大撮影用の光学系及び標準撮影用の光学系がそれらの光軸が並ぶように配置され、前記移動機構が、前記各光学系の光軸間を相対的にスライド移動させるスライド機構により構成されていることを特徴とする。
【００１４】
スライド機構により撮像装置ないし前記拡大撮影用の光学系及び標準撮影用の光学系が相対的にスライド移動させられて、各光学系からの拡大画像又は標準画像が選択的に撮像される。
【００１５】
本発明の請求項４記載のマイクロスコープは、前記移動機構、回転機構又はスライド機構により相対移動させられる前記撮像素子と前記拡大撮影用の光学系及び標準撮影用の光学系との相対位置を検知する位置検知手段が設けられていることを特徴とする。
【００１６】
位置検知手段により撮像素子に前記拡大撮影用の光学系及び標準撮影用の光学系のいずれの画像が結像しているのかを検知することができる。
【００１７】
本発明の請求項５記載のマイクロスコープは、前記位置検知手段により検知された撮像素子と前記拡大撮影用の光学系及び標準撮影用の光学系との相対位置に応じて、前記撮像素子により得られたデータに適切な色温度補正を行う色温度補正手段が設けられていることを特徴とする。
【００１８】
色温度補正手段により、位置検知手段により検知された撮像素子により得られたデータについて適切な色温度補正を行うことができる。
【００１９】
本発明の請求項６記載のマイクロスコープは、前記拡大撮影用の光学系及び標準撮影用の光学系のうち少なくとも１つには照明用の光源が付設され、前記位置検知手段により検知された撮像素子の相対位置が前記光源が付設された光学系の結像位置にある場合に、前記色温度補正手段が前記光源の色温度に対応した色温度補正を行うことを特徴とする。
【００２０】
色温度補正手段により照明用の光源が付設された光学素子から得られたデータに光源の色温度に応じた適切な色温度補正を行うことができ、光源の色温度の影響を極力少なくすることができる。
【００２１】
本発明の請求項７記載のマイクロスコープは、前記移動機構、回転機構又はスライド機構により相対移動させられた際に、移動、回転、スライドが完了したことを操作者にクリック感として伝達するクリック機構が設けられている。
【００２２】
クリック機構により移動、回転、スライドが完了して所望の相対位置に至ったことを操作中のクリック感により認識することができる。
【００２３】
【発明の実施の形態】
図面を参照して、本発明の実施の形態に係る装置について説明する。
【００２４】
図２に示すように、本実施の形態に係る装置であるマイクロスコープ１は、概略箱形のケース２に、標準撮影用の光学系（レンズ組立体）３と、光学系３よりも拡大された画像を撮影する拡大撮影用の光学系（レンズ組立体）４と、内部に設けられた撮像素子７を回転させるためのハンドル５とを備えて概略構成される。拡大撮影用の光学系４の周囲には４個の照明用の光源（例えば白色ＬＥＤ）６が光学系４の対物レンズを取り囲むように配置されている。光源６の数はコストなどを考慮して任意の数を採用することができる。
【００２５】
図３に示すように、ハンドル５には回転位置を示すための矢印形のマーク５ａが表示されている。ハンドル５付近のケース２には、回転方向を示す矢印形のマーク２ａと、標準撮影位置を示す「View Cam」の文字からなるマーク２ｂと、拡大撮影位置を示す「Microscope」の文字からなるマーク２ｃとが表示されている。
【００２６】
本実施の形態にかかる撮像装置の内部構造を図１及び図４から図６に示す。前述の標準撮影用又は拡大撮影用の光学系３，４と、当該各光学系３，４からの像を撮像する撮像素子７と、前記各光学系３，４及び撮像素子７を相対移動させ一の光学系３の結像位置又は他の光学系４の結像位置に撮像素子７を位置させる移動機構とを備えている。
【００２７】
光学系３は筒状部材３ａに複数のレンズからなるレンズ群３ｂを配置したものであり、光学系４は筒状部材４ａに複数のレンズからなるレンズ群４ｂを配置したものである。各光学系３，４はそれらの光軸が略９０°の交差角もって交差するように配置される。光学系３は後述するメインフレーム９に形成された貫通孔内に挿入されて固定されている。図６に示すように、光学系４が固定されている。直方体のブロック４ｃの貫通孔４ｄ内にその筒状部材４ａを挿入し止めネジ４ｅにより一体化し、筒状部材４ａの先端部をメインフレーム９に形成された貫通孔内に挿入し、ブロック４ｃをメインフレーム９にネジ４ｆによりネジ止めしてある。
【００２８】
前記移動機構は、各光学系３，４の光軸の交差する位置ないしその近傍を回転中心として撮像素子７を回転させる回転機構８から構成されている。断面コ字状のメインフレーム９の相対する側壁を貫通する貫通孔９ａのそれぞれに軸受９ｂが取り付けられ、当該軸受９ｂ間にシャフト１０が両持ち状態で回転自在に支持されている。当該シャフト１０には概略円柱状のドラム１２が挿入されて止めネジ１３で固定されている。シャフト１０の両端には前記ハンドル５が止めネジ１１で固定されている。ドラム１２の外面には断面略Ｌ字状の撮像素子保持ブラケット１４が固定されている。撮像素子保持ブラケット１４の反ドラム側にはネジ等からなる取付具１５を介して基板１６が取り付けられ、基板１６には前記撮像素子７及び制御回路板１７が設けられている。
【００２９】
ハンドル５を回転させるとシャフト１０及びドラム１２とがシャフト１０の軸回りに回転し撮像素子保持ブラケット１４に取り付けられた撮像素子７が軸回りに回転して光学系３又は光学系４の光軸に対向する位置間を移動する。
【００３０】
回転機構８による回転移動が完了したことを操作者に伝達するクリック機構が設けられている。前記ドラムの外面には軸線と平行に２本の凹溝１２ａが形成されている。各凹溝１２ａは中心角度で略９０°隔てて形成されている。メインフレーム９のドラム側には断面略Ｖ字状の板バネ２１がネジ２０によりドラム１２を臨んで片持ち状態で取り付けられている。板バネ２１のＶ字状の稜線部分が前記凹溝１２ａ内に弾性的に嵌り込むことにより、ハンドル５を回転操作する操作者にクリック感が与えられるようになっている。
【００３１】
回転機構８により回転移動させられた撮像素子７と光学系３，４との相対位置を検知する位置検知手段が設けられている。メインフレーム９のドラム側には位置検知手段の一部を構成するリミットスイッチ２２が取り付けられている。リミットスイッチ２２ｈ、ドラム１２を回転させた際に撮像素子保持ブラケット１４の先端部がリミットスイッチ２２の可動レバー２２ａを作動させることができる位置に取り付けられている。撮像素子保持ブラケット１４が可動レバー２２ａを押したときに撮像素子７が標準撮影用の光学系３の光軸上にあると判断される。
【００３２】
メインフレーム９の撮像素子７側には取付具２４により撮像素子駆動回路基板２５が取り付けられている。この撮像素子駆動回路基板２５は、前記撮像素子７に接続された制御回路板１７と図示しないワイヤハーネスを通して電気接続されている。撮像素子駆動回路基板２５上には、リミットスイッチ２２により検知された撮像素子７の位置に応じて、撮像素子７により得られたデータに適切な色温度補正を行う色温度補正手段が設けられている。
【００３３】
色温度補正手段は、リミットスイッチ２２の信号により撮像素子７の位置が拡大撮影用の光学系４の結像位置にあると判断された場合には、光源６の色温度に対応した色温度補正を行う。撮像素子７の位置が標準撮影用の光学系３の結像位置にある場合には、いわゆるホワイトバランスに色温度補正を行う。なお、使用する光源の種類を変えた場合には色温度補正手段の補正値を変える。
【００３４】
撮像素子駆動回路基板２５は、図示しないインターフェイスに接続され、当該インターフェイスは外部機器（例えば、パソコン）と接続するコネクタ（例えば、ＵＳＢコネクタ）が設けられている。インターフェイスを通してビデオ信号が送信される。
【００３５】
光源６は光学系４の使用にかかわらず常時点灯させても良いし、リミットスイッチ２２がＯＦＦの場合、すなわち撮像素子７が光学系４に向けられている場合にのみ点灯するようにしても良い。さらに、撮像素子７が光学系４の光軸に位置したことを検知する検知手段を別途設け、この検知手段による検出結果に基づいて光源６を点灯させるようにしても良い。常時点灯させない方式を採用した場合には電源の電力の無駄な消費が抑制できる。
【００３６】
本マイクロスコープ１では、光学系３，４の切り換えを撮像素子７を回転させる回転機構８により行ったが、各光学系をその光軸が並ぶように配置し、各光学系の光軸間を相対的にスライド移動させるスライド機構を設け、スライド機構を操作させることにより光学系３，４の切り換えを行うようにしてもよい。スライド機構と回転機構との組み合わせによる移動機構であっても良い。
【００３７】
標準撮影をする場合には、ハンドル５を回転させて撮像素子７を光学系３の光軸上の結像位置に位置させ、光学系３を被写体に向ける。これにより、撮像素子駆動回路基板２５上の色温度補正手段によりホワイトバランスの色補正がされて、撮像素子駆動回路基板２５及びインターフェイスを通してビデオ信号が外部機器に送信され、外部機器の表示装置に標準画像が表示される。
【００３８】
拡大撮影をする場合には、ハンドル５を回転させて撮像素子７を光学系４の光軸上の結像位置に位置させる。ケース２の下部に形成された脚部２ｅの先端を被写体の置かれた場所に当てる。脚部２ｅの先端を含む平面は光学系４のピントの合うピント面となるようになっている。撮像素子７からの信号（データ）が撮像素子駆動回路基板２５上の色温度補正手段により光源６の色温度に対応した色温度補正がされ、撮像素子駆動回路基板２５及びインターフェイスを通してビデオ信号が外部機器に送信され、外部機器の表示装置に拡大画像が表示される。
【００３９】
本発明の実施の他の形態に係る撮像装置について図７から図１１に基づいて説明する。本実施の形態の装置であるマイクロスコープ３０は撮像素子３７を固定し、複数の光学系３３，３４を回転移動させるようにしたものである。
【００４０】
本マイクロスコープ３０は、標準画像を結像させる標準撮影用の光学系３３と、標準画像よりも拡大した拡大画像を結像させる拡大撮影用の光学系３４と、各光学系３３，３４からの像を撮像する撮像素子３７と、前記各光学系３３，３４及び撮像素子３７を相対的に回転移動させて光学系３３の結像位置又は光学系３４の結像位置を撮像素子３７上に位置させる移動機構とを備える。
【００４１】
移動機構は、各光学系３３，３４の光軸の交差する位置ないしその近傍を回転中心として各光学系３３，３４を回転させる回転機構３８から構成されている。逆門状のフレーム３９の両上端部近傍に概略円板状の軸受３９ｂが取り付けられている。軸受３９ｂには、光学系３３，３４が取り付けられる回転フレーム３５が回転自在に取り付けられている。回転フレーム３５は、軸受３９ｂの外周面に対応する内径を有し軸受３９ｂの外周面に摺動自在に嵌り込む円筒部３５ａと、この円筒部３５ａの内部空間とを連通して連接され互いに略９０°交差して突出する短筒状部３５ｂ及び長筒状部３５ｃとを備えている。長筒状部３５ｃは円筒部３５ａに着脱自在に挿入されている。回転フレーム３５の円筒部３５ａを軸受３９ｂに嵌め込んだ状態でネジ５１により軸受３９ｂがフレーム３９に固定される。
【００４２】
短筒状部３５ｂには光学系３３の筒状部材３３ａが挿入されて着脱自在に取り付けられている。長筒状部３５ｃには、光学系３４の筒状部材３４ａの先端部が長筒状部３５ｃの筒部内側のフランジ３５ｄに設けられた貫通孔に挿入され、筒状部材３４ａの基端部が円筒部３５ａに連通して挿入されることにより取り付けられている。これにより、各光学系３３，３４はそれらの光軸が略９０°の交差角をもって交差するように配置される。なお、光学系３３は、筒状部材３３ａに複数のレンズからなるレンズ群３３ｂを配置したものであり、光学系３４は筒状部材３４ａに複数のレンズからなるレンズ群３４ｂを配置したものである。
【００４３】
長筒状部３５ｃの内側であって取付フランジ３５ｄよりも先端側には、４個の照明用の光源（例えば白色ＬＥＤ）３６が光学系３４の対物レンズを取り囲むように配置されている。
【００４４】
軸受３９ｂの内側にはコ字状のフレーム４５が止めネジ５２により固定されている。フレーム４５には撮像素子保持ブラケット４４が固定されている。撮像素子保持ブラケット４４にはネジ等からなる取付具４９を介して基板４６が取り付けられ、基板４６には撮像素子３７及び制御回路板４７が設けられている。
【００４５】
回転フレーム３５を軸受３９ｂの回りに回転させると、光学系３３，３４が撮像素子保持ブラケット４４に取り付けられた撮像素子３７に対して相対的に回転する。これにより光学系３３又は光学系３４の光軸を選択的に撮像素子３７に位置させることができる。
【００４６】
回転機構３８による回転移動が完了したことを操作者に伝達するクリック機構が設けられている。前記回転フレーム３５の円筒部３５ａの外面には２個の凹部３５ｅが形成されている。各凹部３５ｅは中心角度で略９０°隔てて形成されている。フレーム３９の内側であって前記円筒部３５ａの近傍には、先端部に凹部３５ｅに嵌り込む突起が形成された板バネ４１がネジ４０により片持ち状態で取り付けられている。板バネ４１の突起が凹部３５ｅ内に弾性的に嵌り込むことにより、回転フレーム３５を回転する操作者にクリック感を与えるようになっている。
【００４７】
回転機構３８により回転フレーム３５が回転移動させられた際に、撮像素子３７と光学系３３，３４との相対位置を検知する位置検知手段が設けられている。回転フレーム３５の円筒部３５ａの内面壁には外面が略円弧面となった突起３５ｆが突出形成されている。撮像素子保持ブラケット４４に形成された突起部４４ａの先端には位置検知手段の一部を構成するリミットスイッチ４２が取り付けられている。回転フレーム３５を回転させた際に前記突起３５ｆによりリミットスイッチ４２の可動レバー４２ａを作動させることができる位置関係となっている。前記突起３５ｆにリミットスイッチ２２の可動レバー２２ａが乗り上げたときが標準撮影用の光学系３の光軸が撮像素子３７に位置していると判断される。
【００４８】
撮像素子保持ブラケット４４に取り付けられた基板４６の裏側には取付具５４により撮像素子駆動回路基板５５が取り付けられている。撮像素子駆動回路基板２５は制御回路板４７と図示しないワイヤハーネスを通して電気接続されている。撮像素子駆動回路基板５５上には、リミットスイッチ４２により検知された光学系３３，３４と撮像素子３７との相対位置に応じて、撮像素子３７により得られたデータに適切な色温度補正を行う色温度補正手段が設けられている。
【００４９】
色温度補正手段は、リミットスイッチ４２により検知された光学系３４の結像位置が撮像素子３７上にある場合に、光源３６の色温度に対応した色温度補正を行う。標準撮影用の光学系３３の結像位置が撮像素子３７上にある場合には、いわゆるホワイトバランスに色温度補正を行うようになっている。
【００５０】
本発明の実施の更に他の形態に係る装置について、図１２〜図１６に基づいて説明する。本実施の形態に係る装置はマイクロスコープではないが、図７〜図１１に示した装置とほぼ同様な機構を備えたものであり、同様な構成要素には同一符号を付して説明を省略する。
【００５１】
本実施の形態に係る装置６０は、標準・広角画像を結像させる標準・広角撮影用の光学系６３と、標準画像よりも画角の小さい望遠画像を結像させる拡大撮影用の光学系６４とを備えている。光学系６３は筒状部材６３ａにレンズ群６３ｂが取り付けられ、光学系６４は筒状部材６４ａにレンズ群６４ｂが取り付けられている。光学系６４は回転フレーム５に形成された短筒状部５５ｃに取り付けられている。
【００５２】
回転フレーム３５を軸受３９ｂの回りに回転させると、光学系６３，６４が撮像素子保持ブラケット４４に取り付けられた撮像素子３７に対して相対回転し、光学系６３又は光学系６４の光軸が撮像素子３７に対向する位置に選択的に移動する。これにより、回転フレーム３５の回転により標準・広角画像と望遠画像とを切り換えることができる。撮像装置の内部機構で焦点距離ないし画像を可変にしようとすると機構が複雑になりコストの増大が避けられないが、本撮像装置６０のように、回転フレーム３５の回転で切り換えるようにしたものでは低コストで製造でき、切替操作も直感的で簡便なものである。
【００５３】
なお、本装置６０では、図７〜図１１に示したマイクロスコープ３０に設けられている位置検知手段としてのリミットスイッチ４２や回転フレーム３５の円筒部３５ａの内面壁の突起３５ｆは有していない。これは、光学系６３，６４のいずれにも照明用の光源を付設していないので、光源の色温度の補正をする必要がなく、いわゆるホワイトバランスに色温度補正を行えばよいからである。
【００５４】
【発明の効果】
以上説明したように本発明の撮像装置によれば、以下のような効果を奏する。
【００５５】
（１）撮像素子や光学系を交換することなく、一つのマイクロスコープにより拡大撮影用の光学系又は標準撮影用の光学系を切り換えて拡大画像に加えて標準画像を撮像素子により撮像することができる。しかも、撮像素子や光学系を交換する必要がないので、光学系の切り換え操作の操作性が高く、光学系の切り換え時の塵埃の侵入も少なくてすむ。
【００５６】
（２）回転機構により撮像素子ないし拡大撮影用の光学系及び標準撮影用の光学系が相対的に回転移動させられて、各光学系からの拡大画像又は標準画像を選択的に撮像することができる。
【００５７】
（３）スライド機構により撮像素子ないし拡大撮影用の光学系及び標準撮影用の光学系が相対的にスライド移動させられて、各光学系からの拡大画像又は標準画像を選択的に撮像することができる。
【００５８】
（４）位置検知手段により撮像素子に拡大撮影用の光学系及び標準撮影用の光学系のいずれの画像が結像しているのかを検知することができる。
【００５９】
（５）色温度補正手段により、位置検知手段により検知された撮像素子により得られたデータについて適切な色温度補正を行うことができる。
【００６０】
（６）色温度補正手段により照明用の光源が付設された光学系から得られたデータに光源の色温度に応じた適切な色温度補正を行うことができ、光源の色温度の影響を極力少なくすることができる。
【００６１】
（７）クリック機構により移動、回転、スライドが完了して所望の相対位置に至ったことを操作中のクリック感により認識することができる。
【図面の簡単な説明】
【図１】  本発明の実施の一形態に係る装置であるマイクロスコープの内部構造を示す斜視図である。
【図２】  本発明の実施の一形態に係る装置であるマイクロスコープの外観を示す図である。
【図３】  本発明の実施の一形態に係る装置であるマイクロスコープの外観を示す図である。
【図４】  本発明の実施の一形態に係る装置であるマイクロスコープを示す図である。
【図５】  本発明の実施の一形態に係る装置であるマイクロスコープを示す図である。
【図６】  本発明の実施の一形態に係る装置であるマイクロスコープを示す図である。
【図７】  本発明の実施の他の形態に係る装置であるマイクロスコープの外観を示す図である。
【図８】  本発明の実施の他の形態に係る装置であるマイクロスコープを示す図である。
【図９】  本発明の実施の他の形態に係る装置であるマイクロスコープを示す図である。
【図１０】  本発明の実施の他の形態に係る装置であるマイクロスコープを示す図である。
【図１１】  本発明の実施の他の形態に係る装置であるマイクロスコープを示す図である。
【図１２】  本発明の実施の更に他の形態に係る装置の外観を示す図である。
【図１３】  本発明の実施の更に他の形態に係る装置を示す図である。
【図１４】  本発明の実施の更に他の形態に係る装置を示す図である。
【図１５】  本発明の実施の更に他の形態に係る装置を示す図である。
【図１６】  本発明の実施の更に他の形態に係る撮像装置を示す図である。
【符号の説明】
１，３０    マイクロスコープ
３，３３    標準画像を撮像する光学系
４，３４    拡大画像を撮像する光学系
８，３８    移動機構（回転機構）
２２，４２    リミットスイッチ（位置検知手段の一部）
２１，４１    板バネ（クリック機構の一部）
【図１】
0004044318.tif 000002
【図２】
0004044318.tif 000003
【図３】
0004044318.tif 000004
【図４】
0004044318.tif 000005
【図５】
0004044318.tif 000006
【図６】
0004044318.tif 000007
【図７】
0004044318.tif 000008
【図８】
0004044318.tif 000009
【図９】
0004044318.tif 000010
【図１０】
0004044318.tif 000011
【図１１】
0004044318.tif 000012
【図１２】
0004044318.tif 000013
【図１３】
0004044318.tif 000014
【図１４】
0004044318.tif 000015
【図１５】
0004044318.tif 000016
【図１６】
0004044318.tif 000017